(57)【要約】  【課題】内容物を確実に保管できるとともに、内容物の出し入れがしやすい収容容器を提供すること。【解決手段】容器本体と、この容器本体を出し入れ可能に収納する収納ケースとからなり、収納ケースは、蓋部と底部とを側面部で連結した状態に形成され、この側面部には、容器本体を出し入れするための開口部が形成されており、容器本体は、底部と、底部の周縁部分から立設される周壁部とを備え、上部が開口する容器状に形成され、前記収納ケースに収納されたときに、収納ケースの開口部から露出する周壁部の一部に、開閉可能な取り出し口を有しており、容器本体と収納ケースとを枢支部で連結し、枢支部を回動中心として容器本体を揺動させることにより、収納ケースの開口部から容器本体を出し入れ可能に構成したことを特徴とする。【選択図】図４
0003108346.tif 000002
【実用新案登録請求の範囲】
【請求項１】
容器本体と、この容器本体を出し入れ可能に収納する収納ケースとからなり、
収納ケースは、蓋部と底部とを側面部で連結した状態に形成され、この側面部には、容器本体を出し入れするための開口部が形成されており、
容器本体は、底部と、底部の周縁部分から立設される周壁部とを備え、上部が開口する容器状に形成され、前記収納ケースに収納されたときに、収納ケースの開口部から露出する周壁部の一部に、開閉可能な取り出し口を有しており、
容器本体と収納ケースとを枢支部で連結し、枢支部を回動中心として容器本体を揺動させることにより、収納ケースの開口部から容器本体を出し入れ可能に構成したことを特徴とする収容容器。
【請求項２】
少なくとも容器本体が、可撓性を有する材料で形成されており、取り出し口が、容器本体の周壁部の一部を薄肉にしたヒンジ部を有していることを特徴とする請求項１記載の収容容器。
【請求項３】
少なくとも収納ケースの蓋部が、透明または半透明であることを特徴とする請求項１または２記載の収容容器。
【考案の詳細な説明】
【技術分野】
【０００１】
本考案は、粒状に形成された医薬、栄養補助食品、キャンディやラムネ等の菓子、その他の粒状物を収容する収容容器に関するものである。
【背景技術】
【０００２】
従来、この種の収容容器として、底部と側面部とからなる円筒状の容器本体と、蓋部と側面部とからなる円筒状の蓋部材とを備え、容器本体に対して蓋部材を周方向に相対回転させることにより、容器本体の側面部と蓋部材の各側面部に形成された開口部を合致させて、内容物を取り出す構成としているものがある（例えば、特許文献１参照）。
【特許文献１】実開平５−８９２８１号公報
【考案の開示】
【考案が解決しようとする課題】
【０００３】
しかしながら、上記の収容容器は、ポケットや鞄の中で他のものと接触しているうちに、誤って蓋部材が周方向に相対回転してしまい、内容物がこぼれ落ちてしまうという不具合がある。また、充填物を新たに補充するためには、開口部同士を合致させた状態にしてから行う必要があり、補充しにくいという不具合もある。
本考案は、以上のような問題点に鑑みてなされたものであって、内容物を確実に保管できるとともに、内容物の出し入れがしやすい収容容器を提供することを目的としている。
【課題を解決するための手段】
【０００４】
請求項１記載の考案の収容容器は、容器本体と、この容器本体を出し入れ可能に収納する収納ケースとからなり、収納ケースは、蓋部と底部とを側面部で連結した状態に形成され、この側面部には、容器本体を出し入れするための開口部が形成されており、容器本体は、底部と、底部の周縁部分から立設される周壁部とを備え、上部が開口する容器状に形成され、前記収納ケースに収納されたときに、収納ケースの開口部から露出する周壁部の一部に、開閉可能な取り出し口を有しており、容器本体と収納ケースとを枢支部で連結し、枢支部を回動中心として容器本体を揺動させることにより、収納ケースの開口部から容器本体を出し入れ可能に構成したことを特徴とするものである。
【０００５】
請求項２記載の考案の収容容器は、少なくとも容器本体が、可撓性を有する材料で形成されており、取り出し口が、容器本体の周壁部の一部を薄肉にしたヒンジ部を有していることを特徴とするものである。
【０００６】
請求項３記載の考案の収容容器は、少なくとも収納ケースの蓋部が、透明または半透明であることを特徴とするものである。
【考案の効果】
【０００７】
請求項１記載の考案にかかる収容容器によれば、
容器本体が、底部と、底部の周縁部分から立設される周壁部とを備え、上部が開口する容器状に形成され、前記収納ケースに収納されたときに、収納ケースの開口部から露出する周壁部の一部に、開閉可能な取り出し口を有しているので、取り出し口を開口させることにより、容器本体内の内容物を少量ずつ取り出すことができる。また、取り出し口は、容器本体を収納ケース内に収納した状態においても、収納ケースから取り出した状態においても、開口させることができるので、利便性に優れる。
また、容器本体と収納ケースとを枢支部で連結し、枢支部を回動中心として容器本体を揺動させることにより、収納ケースの開口部から容器本体を出し入れ可能に構成したので、内容物を確実に保管できるとともに、容器本体の出し入れが容易である。
【０００８】
請求項２記載の考案の収容容器によれば、少なくとも容器本体が、可撓性を有する材料で形成されており、取り出し口が、容器本体の周壁部の一部を薄肉にしたヒンジ部を有しているので、ヒンジ部の形成および構造が容易で、部品点数を削減できコストの低廉化を図ることができる。
【０００９】
請求項３記載の考案の収容容器によれば、少なくとも収納ケースの蓋部が、透明または半透明であるので、容器本体を収納ケース内に収納した状態でも、内容物の数量を一目で確認することができ、補充のタイミングや、補充に必要な数量を容易に知ることができる。
【考案を実施するための最良の形態】
【００１０】
以下、本考案の一実施形態にかかる収容容器を図面に基づいて説明する。
【００１１】
図１から図５に示すように、本実施形態の収容容器１は、有底円筒状の容器本体２と、容器本体２を出し入れ可能に収納する収納ケース３で構成されている。
【００１２】
容器本体２は、半透明の可撓性を有する合成樹脂材料を射出成型により形成したもので、円板状の底部４と、底部４の周縁部分から立設される周壁部５とを備えている。
周壁部５は、容器本体２を収納ケース３内に収納したときに、後記する側面開口部１９から露出する前面部６と、収納ケース３内に配置される背面部７で構成されている。
【００１３】
前面部６には、後記する収納ケース３の枢支孔２２ａ，２２ｂに嵌合して、収納ケース３を枢支する枢支軸８と、容器本体２を収納ケース３内から引き出すときに指を引っ掛けるための掛止部９と、容器本体２内の内容物を取り出すための取り出し開口部１０が設けられている。
【００１４】
枢支軸８は、図３，図４に示すように、前面部６における背面部７寄りに、上下に突出形成されている。掛止部９は、図３から図５に示すように、前面部６における前記枢支軸８とほぼ対称位置に設けられており、図１に示すように、収納ケース３よりも外部に膨出している。
【００１５】
取り出し開口部１０は、図２に示すように、前面部６における略中央部分に設けられており、扉部１２により開閉可能となっている。扉部１２は、前面部６の一部を薄肉に形成してなるヒンジ部１１と、扉部１２を閉止したときに、前面部６に係止される係止部１３とを備えており、扉部１２の外面には、扉部１２の開閉時に指を引っ掛けるための扉用掛止部１４が形成されている。
【００１６】
背面部７には、掛止部９寄りに係合突起１５が突出形成されている。
【００１７】
収納ケース３は、透明の合成樹脂材料を射出成型により形成したもので、図３から図５に示すように、容器本体２の上端開口部２３を閉止する蓋部１６と、容器本体２の底部４に対向する底部１７と、容器本体２の周壁部５に対向する側面部１８とを備えており、側面部１８には、容器本体２を出し入れ可能な側面開口部１９が設けられている。
【００１８】
蓋部１６は、容器本体２よりもひと回り大きい円板状で、蓋部１６の上面には周縁部の内側寄り部分に、円周方向に連続する環状突起２０が形成されている。
底部１７は、蓋部１６と同径の円板状で、底部１７の下面には、周縁部に沿って円周方向に連続する環状壁部２１が形成されている。環状壁部２１の内径は、環状突起２０が内嵌するようにやや大径となっている。そして、蓋部１６と底部１７の周縁部には、図３から図５に示すように、側面開口部１９の一端側において、容器本体２の上下に突出した枢支軸８を枢支する枢支孔２２ａ，２２ｂが形成されている。
側面部１８は、図５に示すように、収納ケース３内に収納された容器本体２の背面部７に対向配置されている。側面開口部１９は、当然のことながら、容器本体２を出し入れ可能な開口幅で開口している。
【００１９】
次に、容器本体２内の内容物を取り出す手順を説明する。まず、容器本体２内の内容物を少量ずつ取り出す場合には、図２に示すように、容器本体２の扉部１２に形成されている扉用掛止部１４に指を掛けて扉部１２を開ける。また、容器本体２内から内容物を一度に取り出す場合、容器本体２内に新たに大量の内容物を収容させたい場合には、図３に示すように、容器本体２の掛止部９に指を掛けて、収納ケース３内から容器本体２を引き出して、収納ケース３の蓋部１６を容器本体２から外して、上端開口部２３を開口させる。
【００２０】
さらに、容器本体２内の内容物を少量ずつ取り出す場合には、図４に示すように、容器本体２の扉部１２に形成されている扉用掛止部１４に指を掛けて扉部１２を開ける。そして、容器本体２を収納ケース３内に収納する場合には、容器本体２を収納ケース３の側面開口部１９に向かって指で押し込む。そして、容器本体２の係止突起１５が収納ケース３の側面部１８の端部に当接したら、容器本体２をさらに収納ケース３内に押し込み、容器本体２を弾性変形させて、係止突起１５を側面部１８の内面に弾性圧着させる。
【００２１】
以上、詳細に説明した通り、本実施の形態の収容容器１は、容器本体２の周壁部５に取り出し開口部１０が設けられているので、取り出し開口部１０を開口させることにより、容器本体２内の内容物を少量ずつ取り出すことができる。また、取り出し開口部１０が周壁部５の前面部６の略中央部分に設けられているので、容器本体２が収納ケース３内に収納された場合でも、収納ケース３内から取り出した場合でも、扉部１２を開口させることができ、内容物を取り出すことができる。
【００２２】
また、容器本体２が収納ケース３に枢着されているので、容器本体２を収納ケース３から外部に取り出すことによって、容器本体２の上端開口部２３から容器本体２内の内容物の状態を一目で確認することができる上、容器本体２内の内容物を容易に出し入れすることができる。さらに、容器本体２が収納ケース３に枢着されているので、いずれか一方を紛失してしまう恐れがない。
【００２３】
さらに、容器本体２が可撓性を有する合成樹脂材料で形成されているので、容器本体２の係止突起１５を収納ケース３の側面部１８に弾性圧着させることができる。したがって、容器本体２の上端開口部２３を閉止している収納ケース３の蓋部１６がずれにくく、内容物をより確実に保管できる。加えて、容器本体２の一部を薄肉にするだけでヒンジ部１１を形成することができるため、部品点数を削減できコストの低廉化を図ることができる。
【００２４】
また、容器本体２の前面部６に掛止部９が形成されているので、容器本体２を収納ケース３内から容易に引き出すことができる。また、容器本体２の扉部１２に扉用掛止部１４が形成されているので、扉部１２も容易に開閉することができるという利点もある。
【００２５】
また、収納ケース３の蓋部１６に環状突起２０が形成され、底部１７に環状壁部２１が形成されているので、環状突起２０と環状壁部２１とを係合させることにより、複数個の収容容器１，１，１・・・を軸方向に積み重ねることもでき、複数個の収容容器１，１，１・・・を少ない保管スペースで効率よく使用することができる。
【００２６】
なお、本実施の形態では、ヒンジ部１１が、可撓性を有する合成樹脂製の容器本体２の一部を薄肉にすることにより形成されているが、ヒンジ部の構造はこれに限られず、例えば、枢支軸および軸受で構成されていてもよい。
【００２７】
また、容器本体２および収納ケース３は、合成樹脂製に限られず、金属製、紙製、木製、陶器製、ガラス製などであってもよい。さらに、容器本体２および収納ケース３は、不透明であってもよいし、一部が透明であってもよい。
【００２８】
また、収納ケース３が可撓性を有していてもよいし、容器本体２と収納ケース３の両方が可撓性を有していてもよい。
【００２９】
また、容器本体２は、有底円筒状に限られず、例えば有底多角形状であってもよく、収納ケース３は、容器本体２を収納可能で、容器本体２の上端開口部２３を閉止可能な形状であればよい。
【図面の簡単な説明】
【００３０】
【図１】本考案の一実施形態に係る収容容器１であって、容器本体２が収納ケース３内に収納された状態を示す斜視図である。
【図２】容器本体２が収納ケース３内に収納されており、かつ、容器本体２の扉部１２を開いた状態を示す斜視図である。
【図３】容器本体２が収納ケース３外に取り出された状態を示す斜視図である。
【図４】容器本体２が収納ケース３外に取り出されており、かつ、容器本体２の扉部１２を開いた状態を示す斜視図である。
【図５】収容容器１の横断面図である。
【符号の説明】
【００３１】
１    収容容器
２    容器本体
３    収納ケース
４    底部
５    側面部
８    枢支軸（枢支部）
１０  取り出し開口部（取り出し口）
１６  蓋部
１７  底部
１８  側面部
１９  側面開口部
２３  上端開口部
【図１】
0003108346.tif 000003
【図２】
0003108346.tif 000004
【図３】
0003108346.tif 000005
【図４】
0003108346.tif 000006
【図５】
0003108346.tif 000007